(57)【要約】【課題】１つの指示部による操作を検出する装置であって、誤入力を抑制しながら１つの指示部の複数の入力動作の違いを検出し利用できる入力装置を提供する。【解決手段】第一の操作を検出する手段と、前記第一の操作に伴って発生する前記第一の操作とは異なる事象を第二の操作として検出する手段とを備え、前記第二の操作として検出した情報が誤入力かどうかを判定し、前記第一の操作および前記第二の操作を確定する。これにより、複数の入力動作を１つの指示部で使い分けることができる。【選択図】図３
2011123581.tif 000002
【特許請求の範囲】
【請求項１】
第一の操作を検出する第一情報入力部と、
前記第一の操作に伴って発生する前記第一情報入力部で検出できる事象とは異なる事象を第二の操作として検出する第二情報入力部と、
前記第二情報入力部で検出した情報を解析する第二情報解析部と、
前記第二情報解析部の出力が前記第二の操作を有効とする領域で操作したものかを判定する誤入力判定部と、
前記誤入力判定部で前記第二の操作を有効とする領域で操作されたと判定された前記第二情報解析部の出力が前記第二の操作と合致するかを判定する第二情報操作判定部と、
前記第一情報入力部の出力と前記第二情報操作判定部の出力から検出した操作を選択する入力制御部と、
前記入力制御部からの情報を用い検出した操作に応答して処理を行う応用処理部と、
を備えた入力装置。
【請求項２】
前記誤入力判定部は、前記第二情報解析部からの入力データを解析し操作部位を特定し、前記特定した操作部位が前記第二の操作を有効とする領域かどうかを判定することを特徴とする請求項１記載の入力装置。
【請求項３】
前記第二情報操作判定部は、前記第二情報解析部の出力を前記第二の操作と比較し、前前記第二情報解析部の出力と前記第二の操作との類似性から前記第二の操作の有無を判定することを特徴とする請求項１記載の入力装置。
【請求項４】
前記入力制御部は、前記第二の操作の有無を判定し、前記第二の操作ありと判定した場合に前記第二の操作を前記応用処理部に通知し、前記第二の操作なしと判定した場合に前記第一の操作の有無を判定し、前記第一の操作ありと判定した場合に前記第一の操作を前記応用処理部に通知することを特徴とする請求項１記載の入力装置。
【請求項５】
前記第二情報入力部の感度を調整する第二情報入力制御部をさらに備え、
前記入力制御部が、前記第一の操作の有無により前記第二情報入力制御部に第二情報入力部の感度調整を指示することを特徴とする請求項１記載の入力装置。
【請求項６】
前記第二情報入力制御部が前記第一情報入力部の有効状態かどうかを判定し、前記第一情報入力部が有効の場合に前記第二情報入力部の感度を低下するように調整し、前記第一情報入力部が無効の場合に前記第二情報入力部の感度を復帰させることを特徴とする請求項５記載の入力装置。
【請求項７】
前記第二情報入力部の感度を調整する第二情報入力制御部をさらに備え、
前記入力制御部が、前記第一情報入力部の変化を検出し前記第二情報入力制御部に通知し、
前記第二情報入力制御部が、前記入力制御部から通知された前記第一の操作の変化に基づいて前記第二情報入力部の有効化および無効化を制御することを特徴とする請求項１記載の入力装置。
【請求項８】
前記入力制御部は、前記第一の操作の変化を検出し、前記第一の操作の変化なしと判定した場合に操作なしと判定し、前記第一の操作の変化ありと判定した場合に前記第二情報入力部に前記第二情報入力部の有効化要求を通知することを特徴とする請求項７記載の入力装置。
【請求項９】
前記第二情報入力制御部は、前記入力制御部からの前記第二情報入力部の有効化要求の通知があったかどうかを判定し、前記有効化要求有無要求があると判定した場合に前記第二情報入力部を有効化および前記第二情報入力部の有効化時間を制限する有効化タイマ起動し、前記有効化要求有無要求がないと判定した場合に前記有効化タイマが終了しているかを判定し、前記有効化タイマが終了していると判定した場合に前記第二情報入力部を無効化することを特徴とする請求項７記載の入力装置。
【請求項１０】
第一の操作を検出する第一情報入力ステップと、
前記第一の操作に伴って発生する前記第一情報入力部で検出できる事象とは異なる事象を第二の操作として検出する第二情報入力ステップと、
前記第二情報入力ステップで検出した情報を解析する第二情報解析ステップと、
前記第二情報解析ステップの出力が前記第二の操作を有効とする領域で操作したものかを判定する誤入力判定ステップと、
前記誤入力判定ステップで前記第二の操作を有効とする領域で操作されたと判定された前記第二情報解析ステップの結果が前記第二の操作と合致するかを判定する第二情報操作判定ステップと、
前記第一情報入力ステップの出力と前記第二情報操作判定ステップの出力から検出した操作を選択する入力制御ステップと、
前記入力制御ステップからの情報を用い検出した操作に応答して処理を行う応用処理ステップと、
を備えた入力方法。
【発明の詳細な説明】
【技術分野】
【０００１】
本発明は情報機器で用いられるタッチパネルなどの入力装置および入力方法に関する。
【背景技術】
【０００２】
近年、携帯電話やＰＤＡ（Ｐｅｒｓｏｎａｌ  Ｄｉｇｉｔａｌ  Ａｓｓｉｓｔａｎｔ）などに、タッチパネルやタッチパッドなどボタンのような押下操作以外で機器を操作する入力装置が広く利用されるようになっている。これらの入力装置はユーザの接触位置を座標として検出・利用するものであり、ボタンよりも細かな操作を可能としている。
【０００３】
前記座標入力装置として接触による静電容量の変化を検出する静電容量式センサがある。静電容量式センサは接触面積の中心付近を座標として検出するため、たとえば選択・決定操作として一般的な、入力面を指で叩くように操作するタップ操作をした場合、指の接触面積の変化により検出座標が一定とはならず、タップ操作ではなく指の移動操作として検出されるなどの誤検知が発生する。このような前記座標検出装置を単体で利用した場合の課題を解決する手段として、複数のセンサを用いた入力装置が知られている（例えば、特許文献１）。
【先行技術文献】
【特許文献】
【０００４】
【特許文献１】特開平８−１７９８７２号公報
【発明の概要】
【発明が解決しようとする課題】
【０００５】
しかしながら、特許文献１に記載された方法は、スタイラスペンと指による接触操作を同じ入力面に対して行うことが可能な方法であるが、細かな操作はスタイラスペン、大まかな操作は指、と指示部を操作に応じて変更しなければならず、かつスタイラスペンと指の２つの指示部が同時に接触したときに誤動作してしまうという問題を有していた。また、両方のセンサが物理的に重なっている必要があるため、たとえば携帯端末など薄くする必要のある端末では特許文献１記載の入力装置では厚くなってしまうという問題を有していた。
【０００６】
本発明はこのような従来の問題に鑑みてなされたものであり、１つの指示部による操作を検出する装置であって、第一の操作を検出する入力手段と、前記第一の操作に伴って発生する前記第一の入力手段で検出できる事象とは異なる事象を第二の操作として検出する手段とを備えたことにより、誤入力を抑制しながら１つの指示部の複数の入力動作の違いを検出し利用できる入力装置を提供するものである。
【課題を解決するための手段】
【０００７】
本発明の入力装置は、第一の操作を検出する第一情報入力部と、前記第一の操作に伴って発生する前記第一情報入力部で検出できる事象とは異なる事象を第二の操作として検出する第二情報入力部と、前記第二情報入力部で検出した情報を解析する第二情報解析部と、前記第二情報解析部の出力が前記第二の操作を有効とする領域で操作したものかを判定する誤入力判定部と、前記誤入力判定部で前記第二の操作を有効とする領域で操作されたと判定された前記第二情報解析部の出力が前記第二の操作と合致するかを判定する第二情報操作判定部と、前記第一情報入力部の出力と前記第二情報操作判定部の出力から検出した操作を選択する入力制御部と、前記入力制御部からの情報を用い検出した操作に応答して処理を行う応用処理部とを備えた構成を有する。
【０００８】
この構成により、誤入力を抑制しながら１つの指示部の複数の入力動作の違いを検出し利用することができる。
【０００９】
また、本発明の入力装置は、前記第二情報解析部からの入力データを解析し操作部位を特定し、前記特定した操作部位が前記第二の操作を有効とする領域かどうかを判定することを特徴とする前記誤入力判定部を備えた構成を有する。
【００１０】
この構成により、前記第二の操作として検出する操作部位を限定することで、誤入力を抑制することができる。
【００１１】
また、本発明の入力装置は、前記第二情報解析部の出力を前記第二の操作と比較し、前前記第二情報解析部の出力と前記第二の操作との類似性から前記第二の操作の有無を判定することを特徴とする前記第二情報操作判定部を備えた構成を有する。
【００１２】
この構成により、前記第二情報入力部の出力が前記第二の操作であるかを判定することができる。
【００１３】
また、本発明の入力装置は、前記第二の操作の有無を判定し、前記第二の操作ありと判定した場合に前記第二の操作を前記応用処理部に通知し、前記第二の操作なしと判定した場合に前記第一の操作の有無を判定し、前記第一の操作ありと判定した場合に前記第一の操作を前記応用処理部に通知することを特徴とする前記入力制御部を備えた構成を有する。
【００１４】
この構成により、前記第一の操作と前記第二の操作を区別して利用することができる。
【００１５】
また、本発明の入力装置は、前記第二情報入力部の感度を調整する第二情報入力制御部をさらに備え、前記第一の操作の有無により前記第二情報入力制御部に第二情報入力部の感度調整を指示することを特徴とする前記入力制御部を備えた構成を有する。
【００１６】
この構成より、前記第一情報入力部が有効である場合は前記第一の操作を検出中と判断し、前記第二の操作とは異なる情報により誤って前記第二の操作を検出することを抑制することができる。
【００１７】
また、本発明の入力装置は、前記第一情報入力部の有効状態かどうかを判定し、前記第一情報入力部が有効の場合に前記第二情報入力部の感度を低下するように調整し、前記第一情報入力部が無効の場合に前記第二情報入力部の感度を復帰させることを特徴とする前記第二情報入力制御部を備えた構成を有する。
【００１８】
この構成により、前記第一の操作検出中は前記第二の操作を外的要因のノイズにより誤検出することを抑制することができる。
【００１９】
また、本発明の入力装置は、前記第二情報入力部の感度を調整する第二情報入力制御部をさらに備え、前記第一情報入力部の変化を検出し前記第二情報入力制御部に通知し、前記第二情報入力制御部が、前記入力制御部から通知された前記第一の操作の変化に基づいて前記第二情報入力部の有効化および無効化を制御することを特徴とする前記入力制御部を備えた構成を有する。
【００２０】
この構成により、前記第二の操作と前記第一の操作が時間的に関係する場合に、前記第一の操作の変化を利用することで、誤って前記第二の操作を検出することを抑制することができる。
【００２１】
また、本発明の入力装置は、前記第一の操作の変化を検出し、前記第一の操作の変化なしと判定した場合に操作なしと判定し、前記第一の操作の変化ありと判定した場合に前記第二情報入力部に前記第二情報入力部の有効化要求を通知することを特徴とする前記入力制御部を備えた構成を有する。
【００２２】
この構成により、前記第一の操作の検出完了後に前記第二の操作の検出を開始することができる。
【００２３】
また、本発明の入力装置は、前記入力制御部からの前記第二情報入力部の有効化要求の通知があったかどうかを判定し、前記有効化要求有無要求があると判定した場合に前記第二情報入力部を有効化および前記第二情報入力部の有効化時間を制限する有効化タイマ起動し、前記有効化要求有無要求がないと判定した場合に前記有効化タイマが終了しているかを判定し、前記有効化タイマが終了していると判定した場合に前記第二情報入力部を無効化することを特徴とする前記第二情報入力制御部を備えた構成を有する。
【００２４】
この構成により、前記第二の操作と前記第一の操作が時間的に関係する場合に、前記第一の操作の変化を利用して一定時間のみ前記第二の操作を検出することで、誤って前記第二の操作を検出することを抑制することができる。
【００２５】
本発明の入力方法は、第一の操作を検出する第一情報入力ステップと、前記第一の操作に伴って発生する前記第一情報入力部で検出できる事象とは異なる事象を第二の操作として検出する第二情報入力ステップと、前記第二情報入力ステップで検出した情報を解析する第二情報解析ステップと、前記第二情報解析ステップの出力が前記第二の操作を有効とする領域で操作したものかを判定する誤入力判定ステップと、前記誤入力判定ステップで前記第二の操作を有効とする領域で操作されたと判定された前記第二情報解析ステップの結果が前記第二の操作と合致するかを判定する第二情報操作判定ステップと、前記第一情報入力ステップの出力と前記第二情報操作判定ステップの出力から検出した操作を選択する入力制御ステップと、前記入力制御ステップからの情報を用い検出した操作に応答して処理を行う応用処理ステップとを備えた構成を有する。
【００２６】
この構成により、誤入力を抑制しながら１つの指示部の複数の入力動作の違いを検出し利用することができる。
【発明の効果】
【００２７】
本発明の入力装置によれば、入力装置の小型化を図りながら、１つの指示部の複数の入力動作の違いを検出することができ、かつ誤入力を抑制することができる。
【図面の簡単な説明】
【００２８】
【図１】第一の操作と第二の操作の一例を示す図
【図２】本発明の第一情報入力部３０１と第二情報入力部３０２の配置例を示す図
【図３】本発明の実施の形態１に係る入力装置の構成を示すブロック図
【図４】第二の操作で検出できる情報の一例を示す図
【図５】本発明の誤入力判定部３０４のフローチャート
【図６】本発明の第二情報操作判定部３０５のフローチャート
【図７】本発明の実施の形態１および実施の形態２に係る入力制御部３０６のフローチャート
【図８】本発明の実施の形態２に係る入力装置の構成を示すブロック図
【図９】本発明の実施の形態２に係る第二情報入力制御部８０１のフローチャート
【図１０】本発明の実施の形態３に係る入力装置の構成を示すブロック図
【図１１】本発明の実施の形態３に係る入力制御部１００１のフローチャート
【図１２】本発明の実施の形態３に係る第二情報入力制御部１００２のフローチャート
【発明を実施するための形態】
【００２９】
以下、本発明の実施の形態について、図面を参照して詳細に説明する。なお、以下の実施の形態では第一の操作を静電式タッチパネルなどによる座標入力、第二の操作を接触時に発生する音での入力として記載するが、本発明では第一の操作と第二の操作とをそれぞれ座標入力と音入力に限るものではない。また、第二の操作を１種類に限るものではない。
【００３０】
実施の形態の説明で用いる第一の操作と第二の操作を図１に示す。指示部１０１と操作面１０２を用いて操作を行う。ここでは、指示部１０１は指、操作面１０２はタッチパネルの入力面である。第一の操作は、指示部１０１で操作面１０２を押下やなぞる操作であり、指示部１０１が接触している座標を第一情報として検出する。第二の操作は指示部１０１の先で操作面１０２をたたく操作であり、前記第一の操作のような座標入力とは独立して発生する接触音を第二情報として検出する。例えば、前記第二の操作を決定操作やタップ操作として利用する。
【００３１】
図１に示す前記第一の操作および前記第二の操作を検出するための入力装置２０１の外観を図２に示す。入力装置２０１は前記第一の操作を検出するタッチパネル２０２、および前記第二の操作を検出するマイク２０３を備える。操作面１０２はタッチパネル２０２であり、タッチパネル２０２を指で押下やなぞると第一の操作、タッチパネル２０２を指先でたたくと第二の操作として検出する。なお、入力装置２０１の形状、タッチパネル２０２およびマイク２０３の位置関係は図２に示すものに限るものではない。
（実施の形態１）
図３は本発明の第１の実施形態における入力装置３００の概略構成を示すブロック図である。
【００３２】
図３に示す入力装置３００は、第一情報入力部３０１、第二情報入力部３０２、第二情報解析部３０３、誤入力判定部３０４、第二情報操作判定部３０５、入力制御部３０６、応用処理部３０７を備える。
【００３３】
第一情報入力部３０１は、第一の操作を検出する。例えば、タッチパネル２０２を用いることで接触座標を第一の操作として検出する。
【００３４】
第二情報入力部３０２は、第二の操作を検出する。例えは、マイク２０３を用いることで接触音を第二の操作として検出する。
【００３５】
第二情報解析部３０３は、第二情報入力部３０２が検出した情報を解析し、後述する誤入力判定や第二情報操作判定を行うための情報を抽出する。例えば、検出した音情報の周波数成分を分析することで操作の特徴量を抽出する。
【００３６】
誤入力判定部３０４は、第二情報解析部３０３で求めた特徴量から、検出した前記第二情報が操作面１０２で入力された情報かどうかを判定する。図４（ａ）〜図４（ｄ）は前記第二の操作を異なる材質の操作面で実施した場合の音の波形の例であり、材質が異なることで検出できる情報が変化する。図４から、あらかじめ操作面１０２の特徴量を保持しておくことで、検出した音の特徴量、例えば周波数成分の構成などから操作面を特定する。
【００３７】
第二情報操作判定部３０５は、誤入力判定部３０４の結果が操作面１０２であると判定した場合、第二情報解析部３０３が抽出した特徴量があらかじめ保持している前記第二の操作の特徴量と比較することで前記第二の操作が行われたかどうかを判定する。なお、前記第二の操作は第二情報入力部３０２から得られる情報を用いて行う操作であるため、第二情報解析部３０３で複数の操作の特徴量を保持しておくことで前記第二の操作を複数検出することも可能である。
【００３８】
入力制御部３０６は、第一情報入力部３０１の出力と第二情報操作判定部３０５の出力からユーザの操作を選択する。
【００３９】
応用処理部３０７は、入力制御部３０６が選択した前記第一の操作または前記第二の操作の通知を受け、処理を行う。例えば、応用処理部３０７が写真ビューアであり、前記第一の操作の通知を受けた場合は画面のスクロールを行い、前記第二の操作の通知を受けた場合は写真の選択を行う。
【００４０】
次に、上記構成の入力装置３００の動作について説明する。
【００４１】
図５は、本発明の第１の実施形態における入力装置３００の誤入力判定部３０４の動作を示すフローチャートである。
【００４２】
誤入力判定部３０４は、第二情報解析部３０３からの入力データから操作部位を特定する（ステップＳ５０１）。誤入力判定部３０４が保持している操作面１０２での操作の特徴量と前記入力データとを比較し、前記第二の操作を可能とする操作面１０２での操作と判定した場合（ステップＳ５０２のＹｅｓ）、前記第二の操作の可能性ありと判定する（ステップＳ５０３）。一方、操作面１０２での操作ではないと判定した場合（ステップＳ５０２のＮｏ）、前記第二の操作ではないと判定する（ステップＳ５０４）。
【００４３】
図６は、本発明の第１の実施形態における入力装置３００の第二情報操作判定部３０５の動作を示すフローチャートである。
【００４４】
第二情報操作判定部３０５は、誤入力判定部３０４の結果、前記第二の操作の可能性ありと判定された入力データについて、第二情報操作判定部３０５が保持している前記第二の操作の特徴量と前記入力データとを比較する（ステップＳ６０１）。比較の結果、類似性があると判定した場合（ステップＳ６０２のＹｅｓ）、前記第二の操作と判定する（ステップＳ６０３）。一方、比較の結果、類似性がないと判断した場合（ステップＳ６０２のＮｏ）、前記第二の操作ではないと判定する（ステップＳ６０４）。
【００４５】
図７は、本発明の第１の実施形態における入力装置３００の入力制御部３０６の動作を示すフローチャートである。
【００４６】
入力制御部３０６は、第一情報入力部３０１および第二情報操作判定部３０５からのデータを受け取り、前記第二の操作ありと判定した場合（ステップＳ７０１のＹｅｓ）、前記第二の操作を応用処理部３０７に通知する（ステップＳ７０２）。一方、前記第二の操作なしと判定し（ステップＳ７０１のＮｏ）、かつ前記第一の操作ありと判定した場合（ステップＳ７０３のＹｅｓ）、前記第一の操作を応用処理部３０７に通知する（ステップＳ７０４）。さらに、前記第一の操作なしと判定した場合（ステップＳ７０３のＮｏ）、操作なしと判定し応答処理部３０７には何も通知しない（ステップＳ７０５）。なお、本実施形態の入力制御部３０６は前記第二の操作を前記第一の操作よりも優先する処理としたが、本発明では前記第一の操作と前記第二の操作の優先度を限定するものではない。
【００４７】
このような本実施形態の入力装置３００によれば、操作面１０２以外で発生した第二情報を誤入力として破棄しながら、同一の操作面１０２において１つの指示部の複数の入力動作の違いを検出し利用することができる。
（実施の形態２）
図８は、本発明の第２の実施形態における入力装置の概略構成を示すブロック図である。図８に示す入力装置８００は、第１の実施形態の入力装置３００と比較して、第二情報入力制御部８０１が追加されている点が異なる。図８に示す入力装置８００において、図３で示した入力装置３００と同一の構成については、同一の符号を付し、説明を省略または簡略化する。
【００４８】
第二情報入力制御部８０１は、前記第一の操作の有無により第二情報入力部３０２の感度を調整する。前記第一の操作と前記第二の操作が同時に発生しない場合、前記第一の操作を検出中は第二情報入力部３０２の感度を低下させることで、外的要因のノイズを誤って前記第二の操作として検出することを抑制する。例えば、前記第一の操作が指示部１０１で操作面１０２をなぞる操作であり、前記第二の操作が指示部１０１で操作面１０２をたたく操作の場合、なぞる操作中にたたく操作は発生しないので、なぞる操作を検出中はたたき音を検出する能力を低下させることで前記第二の操作の誤検出を抑制する。一方、なぞる操作を検出していなければたたく操作が発生する可能性があるためたたき音を検出する能力の低下を復帰させることで、前記第二の操作を検出可能とする。
【００４９】
次に、上記構成の入力装置８００の動作について説明する。
【００５０】
図９は、本発明の第２の実施形態における入力装置８００の第二情報入力制御部８０１の動作を示すフローチャートである。
【００５１】
第二情報入力制御部８０１は、第一情報入力部３０１の状態を監視し、前記第一の操作を検出していると判定した場合（ステップＳ９０１のＹｅｓ）、前記第二の操作を外的要因のノイズにより誤って検出しないために第二情報入力部３０２の感度を低下させるよう調整する（ステップＳ９０２）。一方、前記第一の操作を検出していないと判定した場合（ステップＳ９０３）、前記第二の操作を検出できるよう第二情報入力部の感度を復帰させる。
【００５２】
このような本実施形態の入力装置８００によれば、前記第一の操作検出中は前記第二の操作を外的要因のノイズにより誤検出することを抑制することができる。
（実施の形態３）
図１０は、本発明の第３の実施形態における入力装置の概略構成を示すブロック図である。図１０に示す入力装置１０００は、第１の実施形態の入力装置３００と比較して、入力制御部３０６が入力制御部１００１に置換されている点、および第二情報入力制御部１００１が追加されている点が異なる。図１０に示す入力装置１０００において、図３で示した入力装置３００と同一の構成については、同一の符号を付し、説明を省略または簡略化する。
【００５３】
入力制御部１００１は、第一情報入力部３０１からの情報から前記第一の操作に変化があるかどうかを検出し、変化がある場合に第二情報制御部１００２に第二情報入力部有効化要求を通知する。例えば、例えば、前記第一の操作が指示部１０１で操作面１０２をなぞる操作であり、前記第二の操作が指示部１０１で操作面１０２をたたく操作の場合、かつ前記たたく操作が前記なぞる操作の直後に頻繁に発生する場合、第二情報入力部３０２は前記第二の操作を検出する期間を前記第一の操作の後のみにすることができる。そのため、入力制御部１００１は、なぞる操作検出中から検出終了、例えば指示部１０１が操作面１０２から離れたことを検出することを前記第一の操作の変化として検出する。
【００５４】
第二情報入力制御部１００２は、入力制御部１００１から前記第二情報入力部有効化要求の通知を受け、第二情報入力部３０２を一定時間有効にする。
【００５５】
次に、上記構成の入力装置１０００の動作について説明する。
【００５６】
図１１は、本発明の第３の実施形態における入力装置１０００の入力制御部１００１の動作を示すフローチャートである。
【００５７】
入力制御部１００１は、第一情報入力部３０１および第二情報操作判定部３０５からのデータを受け取り、前記第二の操作ありと判定した場合（ステップＳ７０１のＹｅｓ）、前記第二の操作を応用処理部３０７に通知する（ステップＳ７０２）。一方、前記第二の操作なしと判定し（ステップＳ７０１のＮｏ）、かつ前記第一の操作ありと判定した場合（ステップＳ７０３のＹｅｓ）、前記第一の操作を応用処理部３０７に通知する（ステップＳ７０４）。さらに、前記第一の操作なしと判定した場合（ステップＳ７０３のＮｏ）、かつ前記第一の操作の変化を検出していない場合（ステップＳ１１０１のＮｏ）、操作なしと判定し応答処理部３０７には何も通知しない（ステップＳ７０５）。一方、前記第一の操作の変化を検出した場合（ステップＳ１１０１のＹｅｓ）、第二情報入力制御部１００２に対して第二情報入力部有効化要求を通知する（ステップＳ１１０２）。
【００５８】
図１２は、本発明の第３の実施形態における入力装置１０００の第二情報入力制御部１００２の動作を示すフローチャートである。
【００５９】
第二情報入力制御部１００２は、入力制御部１００１から前記第二情報入力部有効化要求の通知を受けていた場合（ステップＳ１２０１のＹｅｓ）、第二情報入力部３０２を有効とし（ステップＳ１２０２）、第二情報入力部３０２を有効とする期間を計測する有効化タイマを起動する（ステップＳ１２０３）。一方、前記第二情報入力部有効化要求の通知を受けていない場合（ステップＳ１２０１のＮｏ）、有効化タイマが終了しているかどうかを確認し、有効化タイマが終了している場合（ステップＳ１２０４のＹｅｓ）、第二情報入力部を無効化する（ステップＳ１２０５）。一方、有効化タイマが終了していない場合（ステップＳ１２０４のＮｏ）、何もせず処理を終了する。
【００６０】
このような本実施形態の入力装置１０００によれば、操作面１０２以外で発生した第二情報を誤入力として破棄しながら、同一の操作面１０２において１つの指示部の複数の入力動作の違いを検出し利用することができる。
【産業上の利用可能性】
【００６１】
本発明の入力装置によれば、入力装置の小型化を図りながら、１つの指示部の入力動作の違いを検出することができ、かつ誤入力を抑制することができるため、小型・薄型化が求められ、複雑な入力操作が必要となる携帯電話やＰＤＡ等の電子機器に有用である。
【符号の説明】
【００６２】
１０１    指示部
１０２    操作面
２０１    本発明の入力装置
２０２    第一情報入力部
２０３    第二情報入力部
３００    実施の形態１に係る入力装置
３０１    第一情報入力部
３０２    第二情報入力部
３０３    第二情報解析部
３０４    誤入力判定部
３０５    第二情報操作判定部
３０６    実施の形態１および実施の形態２に係る入力制御部
３０７    応用処理部
８００    実施の形態２に係る入力装置
８０１    実施の形態２に係る第二情報入力制御部
１０００    実施の形態３に係る入力装置
１００１    実施の形態３に係る入力制御部
１００２    実施の形態３に係る第二情報入力制御部
【図１】
2011123581.tif 000003
【図２】
2011123581.tif 000004
【図３】
2011123581.tif 000005
【図４】
2011123581.tif 000006
【図５】
2011123581.tif 000007
【図６】
2011123581.tif 000008
【図７】
2011123581.tif 000009
【図８】
2011123581.tif 000010
【図９】
2011123581.tif 000011
【図１０】
2011123581.tif 000012
【図１１】
2011123581.tif 000013
【図１２】
2011123581.tif 000014